(57)【特許請求の範囲】
【請求項１】
一対の帯状の基材のそれぞれに、互いに着脱自在に嵌合する嵌合部が前記基材の長手方向に沿って設けられ、かつ、各々の基材における一方の側端と前記嵌合部の間の対向面に、それぞれ突条部が前記基材の長手方向に沿って設けられ、
各々の基材に設けられた前記突条部の断面形状は、円形状で、かつ前記嵌合部側に切り欠き部分が形成された形状であり、
各々の基材に設けられた前記突条部が、前記嵌合部を嵌合した際に互いに接触し、各々の基材の前記一方の側端側を押し広げるようになっている嵌合具。
【請求項２】
一対の帯状の基材のそれぞれに、互いに着脱自在に嵌合する嵌合部が前記基材の長手方向に沿って設けられ、かつ、各々の基材における一方の側端と前記嵌合部の間の対向面に、それぞれ突条部が前記基材の長手方向に沿って設けられ、
各々の基材に設けられた前記突条部の断面形状は、前記嵌合部側とその反対側の両方が、前記基材と連結している側が窄まるように傾斜した台形状であり、
各々の基材に設けられた前記突条部が、前記嵌合部を嵌合した際に互いに接触し、各々の基材の前記一方の側端側を押し広げるようになっている嵌合具。
【請求項３】
一対の帯状の基材のそれぞれに、互いに着脱自在に嵌合する嵌合部が前記基材の長手方向に沿って設けられ、かつ、各々の基材における一方の側端と前記嵌合部の間の対向面に、それぞれ突条部が前記基材の長手方向に沿って設けられ、
各々の基材に設けられた前記突条部の断面形状は、前記嵌合部側と反対側が基材に対して垂直に立ち上がり、かつ前記嵌合部側が、前記基材と連結している側が窄まるように傾斜した台形状であり、
各々の基材に設けられた前記突条部が、前記嵌合部を嵌合した際に互いに接触し、各々の基材の前記一方の側端側を押し広げるようになっている嵌合具。
【請求項４】
内容物を収容する袋本体と、該袋本体の内面に取り付けられた請求項１〜３のいずれか一項に記載の嵌合具とを具備し、
前記嵌合具が、前記突条部が形成された側が前記袋本体の開口側となるように取り付けられている嵌合具付き袋体。
【発明の詳細な説明】
【技術分野】
【０００１】
本発明は、嵌合具および嵌合具付き袋体に関する。
【背景技術】
【０００２】
食品、薬品および雑貨などの様々な分野においては、袋本体の開口近傍の内面に、開口を開閉自在に封じる嵌合具が取り付けられた嵌合具付き袋体が広く用いられている。例えば、一対の帯状の基材に、突条の雄側嵌合部および該雄側嵌合部に着脱自在に嵌合する雌側嵌合部が、それら基材の長手方向に沿ってそれぞれ設けられた嵌合具を備えた嵌合具付き袋体が知られている。該嵌合具付き袋体では、嵌合具の雄側嵌合部と雌側嵌合部とを嵌合することにより、袋体に形成した開口を閉じることができる。また、嵌合具が取り付けられた袋本体の各々の開口端をそれぞれ把持し、それらを離間する方向に引っ張って雄側嵌合部を雌側嵌合部から脱離させることで、袋体を再び開封することができる。
【０００３】
しかし、このような嵌合具付き袋体は、形成した開口を嵌合具で閉じた状態において、袋本体の各々の開口端のフィルム材同士が密着することで、それら開口端を把持し難くなる。そのため、袋体の開封が難しいことがある。そこで、一対の基材におけるそれぞれの対向面の嵌合部よりも開口側に、嵌合部の高さと同一か又はこれよりも高い対向するリブが設けられた嵌合具を有する嵌合具付き袋体が示されている（例えば、特許文献１）。
しかし、特許文献１のような嵌合具付き袋体でも易開封性は充分ではなく、さらに易開封性を向上させることが望まれる。
【先行技術文献】
【特許文献】
【０００４】
【特許文献１】特開２００７−１１９０４３号公報
【発明の概要】
【発明が解決しようとする課題】
【０００５】
本発明は、袋体に取り付けた際、該袋体の開口端を容易に安定して把持でき、袋体に形成した開口をより簡便に繰り返し開閉できる嵌合具の提供を目的とする。また、本発明は、袋本体の内面に嵌合具を取り付けた嵌合具付き袋体であって、開口を嵌合具により閉じた状態でも袋本体の開口端を容易に安定して把持でき、より簡便に開封できる嵌合具付き袋体の提供を目的とする。
【課題を解決するための手段】
【０００６】
本発明は、前記課題を解決するために以下の構成を採用した。
［１］一対の帯状の基材のそれぞれに、互いに着脱自在に嵌合する嵌合部が前記基材の長手方向に沿って設けられ、かつ、各々の基材における一方の側端と前記嵌合部の間の対向面に、それぞれ突条部が前記基材の長手方向に沿って設けられ、
各々の基材に設けられた前記突条部の断面形状は、円形状で、かつ前記嵌合部側に切り欠き部分が形成された形状であり、
各々の基材に設けられた前記突条部が、前記嵌合部を嵌合した際に互いに接触し、各々の基材の前記一方の側端側を押し広げるようになっている嵌合具。
［２］一対の帯状の基材のそれぞれに、互いに着脱自在に嵌合する嵌合部が前記基材の長手方向に沿って設けられ、かつ、各々の基材における一方の側端と前記嵌合部の間の対向面に、それぞれ突条部が前記基材の長手方向に沿って設けられ、
各々の基材に設けられた前記突条部の断面形状は、前記嵌合部側とその反対側の両方が、前記基材と連結している側が窄まるように傾斜した台形状であり、
各々の基材に設けられた前記突条部が、前記嵌合部を嵌合した際に互いに接触し、各々の基材の前記一方の側端側を押し広げるようになっている嵌合具。
［３］一対の帯状の基材のそれぞれに、互いに着脱自在に嵌合する嵌合部が前記基材の長手方向に沿って設けられ、かつ、各々の基材における一方の側端と前記嵌合部の間の対向面に、それぞれ突条部が前記基材の長手方向に沿って設けられ、
各々の基材に設けられた前記突条部の断面形状は、前記嵌合部側と反対側が基材に対して垂直に立ち上がり、かつ前記嵌合部側が、前記基材と連結している側が窄まるように傾斜した台形状であり、
各々の基材に設けられた前記突条部が、前記嵌合部を嵌合した際に互いに接触し、各々の基材の前記一方の側端側を押し広げるようになっている嵌合具。
［４］内容物を収容する袋本体と、該袋本体の内面に取り付けられた［１］〜［３］のいずれかに記載の嵌合具とを具備し、
前記嵌合具が、前記突条部が形成された側が前記袋本体の開口側となるように取り付けられている嵌合具付き袋体。
【発明の効果】
【０００７】
本発明の嵌合具は、袋体に取り付けた際、該袋体の開口端を容易に安定して把持でき、袋体に形成した開口をより簡便に繰り返し開閉できる。
また、本発明の嵌合具付き袋体は、開口を嵌合具により閉じた状態でも袋本体の開口端を容易に安定して把持でき、より簡便に開封できる。
【図面の簡単な説明】
【０００８】
【図１】本発明の嵌合具の一例を示した断面図である。
【図２】図１の嵌合具を嵌合した様子を示した断面図である。
【図３】本発明の嵌合具の他の例を示した断面図である。
【図４】本発明の嵌合具の他の例を示した断面図である。
【図５】本発明の嵌合具の他の例を示した断面図である。
【図６】本発明の嵌合具付き袋体の一例を示した正面図である。
【図７】図６の嵌合具付き袋体を直線Ｉ−Ｉ’で切断したときの断面図である。
【図８】図６の嵌合具付き袋体を切断補助線に沿って開封したときの断面図である。
【発明を実施するための形態】
【０００９】
［嵌合具］
以下、本発明の嵌合具の一例を示して詳細に説明する。図１および図２は、本発明の嵌合具の一例である嵌合具１０を幅方向に沿って示した断面図である。
嵌合具１０は、図１に示すように、一対の帯状の第１の基材１１および第２の基材１２を有している。第１の基材１１には、突条の雄側嵌合部１３が第１の基材１１の長手方向に沿って設けられており、一方の側端１１ｂ（以下、単に「側端１１ｂ」という。）と雄側嵌合部１３の間の対向面１１ａには第１の突条部１５が第１の基材１１の長手方向に沿って設けられている。また、第２の基材１２には、雄側嵌合部１３に着脱自在に嵌合する雌側嵌合部１４が第２の基材１２の長手方向に沿って設けられており、一方の側端１２ｂ（以下、単に「側端１２ｂ」という。）の間の対向面１２ａには第２の突条部１６が第２の基材１２の長手方向に沿って設けられている。
嵌合具１０は、第１の基材１１の側端１１ｂと第２の基材１２の側端１２ｂを袋体に形成する開口側とし、第１の基材１１の他方の側端１１ｃ（以下、単に「側端１１ｃ」という。）と、第２の基材１２の他方の側端１２ｃ（以下、単に「側端１２ｃ」という。）を袋体の内容物側とするように袋本体に取り付けられる。つまり、嵌合具１０は、第１の突条部１５と第２の突条部１６が袋体の開口側となるように取り付けられる。
【００１０】
第１の基材１１は、特に限定されず、公知の嵌合具の基材に使用されるものが使用でき、積層フィルムからなる基材が好ましい。積層フィルムからなる第１の基材１１としては、例えば、対向面１１ａ側から、耐熱層とヒートシール層が積層されたフィルムが挙げられる。また、第１の基材１１は、耐熱層とヒートシール層の間にバリア層を有していてもよい。
耐熱層の材質としては、二軸延伸ナイロン、二軸延伸ポリプロピレン等が挙げられる。
ヒートシール層の材質としては、直鎖状低密度ポリエチレン、無延伸ポリプロピレン、エチレン−酢酸ビニル共重合体、アイオノマー等が挙げられる。
バリア層の材質としては、ポリビニルアルコール等が挙げられる。
【００１１】
第１の基材１１は、１種の樹脂からなっていてもよく、２種以上の樹脂を含む樹脂組成物からなっていてもよい。また、必要に応じて安定剤、酸化防止剤、滑剤、帯電防止剤、着色剤などの公知の添加剤が添加されていてもよい。
また、第１の基材１１は、積層フィルムからなる基材には限定されず、単層フィルムからなる基材であってもよい。
第２の基材１２としては、第１の基材１１と同じ基材が挙げられ、好ましい態様も同じである。
【００１２】
雄側嵌合部１３は、第１の基材１１の対向面１１ａから立ち上がる幹部１３ａと、幹部１３ａよりも大きい断面略半円形状の頭部１３ｂを有している。また、雌側嵌合部１４は、第２の基材１２の対向面１２ａから断面円弧状に立ち上がる第１のアーム部１４ａと第２のアーム部１４ｂからなり、第１のアーム部１４ａと第２のアーム部１４ｂによって凹部１４ｃが形成されている。雄側嵌合部１３と雌側嵌合部１４は、雄側嵌合部１３の頭部１３ｂを雌側嵌合部１４の凹部１４ｃに嵌め込むことで、着脱自在に嵌合できるようになっている。
【００１３】
雄側嵌合部１３と雌側嵌合部１４の断面形状は、それらを互いに着脱することで、袋体に形成した開口の開閉が繰り返し行えるものであればよく、任意の断面形状を採用できる。例えば、この例の雌側嵌合部１４は、第１のアーム部１４ａと第２のアーム部１４ｂが第２の基材１２の対向面１２ａから直接立ち上がっている形態であるが、第２の基材の対向面から立ち上がる首部を有し、該首部から第１のアーム部と第２のアーム部が円弧状に立ち上がる形態の雌側嵌合部であってもよい。
雄側嵌合部１３および雌側嵌合部１４の材質としては、第１の基材１１および第２の基材１２と同じ材質が使用できる。
【００１４】
第１の突条部１５は、第１の基材１１における側端１１ｂと雄側嵌合部１３の間の対向面１１ａに、第１の基材１１の長手方向に沿って設けられている。また、第２の突条部１６は、第２の基材１２における側端１２ｂと雌側嵌合部１４の間の対向面１２ａに、第２の基材１２の長手方向に沿って設けられている。
第１の突条部１５と第２の突条部１６は、図２に示すように、雄側嵌合部１３と雌側嵌合部１４を嵌合した際に互いに接触し、第１の基材１１の側端１１ｂ側および第２の基材１２の側端１２ｂ側を押し広げるようになっている。これにより、嵌合具１０を取り付けた袋体において、第１の基材１１の側端１１ｂ側および第２の基材１２の側端１２ｂ側と共に袋体の開口側が押し広げられる。そのため、嵌合具１０により開口を閉じた状態においても袋体の開口端が開いた状態となるので、嵌合具１０によって閉じた袋体の開口を再度開封する際に開口端を容易に把持して簡便に開くことができる。
【００１５】
第１の突条部１５の断面形状は、少なくとも雄側嵌合部１３側が傾斜するように、第１の基材１１の対向面１１ａと連結している側が窄んだ形状であり、この例では円形状である。これにより、嵌合具１０によって閉じた袋体の開口を再度開封する場合において、指が第１の突条部１５と第１の基材１１の隙間部分にしっかりと引っ掛かり、該袋体の開口端と共に嵌合具１０の第１の基材１１の側端１１ｂ側を容易に安定して把持できるので、雄側嵌合部１３を雌側嵌合部１４からより簡便に脱離させることができる。
第２の突条部１６の断面形状は、少なくとも雌側嵌合部１４側が傾斜するように、第２の基材１２の対向面１２ａと連結している側が窄んだ形状であり、第１の突条部１５と同様にこの例では円形状である。これにより、嵌合具１０によって閉じた袋体の開口を再度開封する場合において、指が第２の突条部１６と第２の基材１２の隙間部分にしっかりと引っ掛かり、該袋体の開口端と共に嵌合具１０の第２の基材１２の側端１２ｂ側を容易に安定して把持できるので、雄側嵌合部１３を雌側嵌合部１４からより簡便に脱離させることができる。
なお、本発明の嵌合具における突条部の断面形状とは、嵌合具を幅方向に沿って切断したときの断面形状である。
【００１６】
第１の突条部１５と第２の突条部１６の高さは、雄側嵌合部１３と雌側嵌合部１４を嵌合した際に第１の突条部１５と第２の突条部１６が接触して、第１の基材１１の側端１１ｂ側と第２の基材１２の側端１２ｂ側を押し広げられる高さであればよい。
第１の突条部１５は、第１の基材１１の長手方向に沿って連続的に設けられていても、第１の基材１１の長手方向に沿って断続的に破線状に設けられていてもよく、該袋体の開口時、指にかかりやすく、開口性に優れる点から、第１の基材１１の長手方向に沿って連続的に設けられていることが好ましい。第２の突条部１６も同様に、第２の基材１２の長手方向に沿って連続的に設けられていても、第２の基材１２の長手方向に沿って断続的に破線状に設けられていてもよく、該袋体の開口時、指にかかりやすく、開口性に優れる点から、第２の基材１２の長手方向に沿って連続的に設けられていることが好ましい。
【００１７】
第１の突条部１５と第２の突条部１６の材質としては、第１の基材１１および第２の基材１２と同じ材質が使用できる。
【００１８】
以上説明した嵌合具１０は、袋体に取り付けた際に、第１の突条部１５と第２の突条部１６によって、第１の基材１１の側端１１ｂ側および第２の基材１２の側端１２ｂ側と共に袋体の開口側が押し広げられるので、嵌合具１０によって開口を閉じている状態でも袋体の開口端を把持しやすい。また、第１の突条部１５と第２の突条部１６の断面形状は、少なくとも雄側嵌合部１３側および雌側嵌合部１４側が傾斜するように、第１の基材１１の対向面１１ａおよび第２の基材１２の対向面１２ａと連結している側が窄んだ形状であるので、指が第１の突条部１５と第１の基材１１の隙間部分、および第２の突条部１６と第２の基材１２の隙間部分にしっかりと引っ掛かる。そのため、嵌合具１０により閉じた開口を簡便に開くことができる。
【００１９】
なお、本発明の嵌合具は、前記嵌合具１０には限定されない。例えば、第１の突条部１５と第２の突条部１６の断面形状は円形状であったが、少なくとも雄側嵌合部１３側および雌側嵌合部１４側が傾斜するように、第１の基材１１の対向面１１ａおよび第２の基材１２の対向面１２ａに連結している側が窄んだ形状であれば円形状には限定されない。
具体的には、例えば、図３に例示した嵌合具１０Ａであってもよい。嵌合具１０Ａにおいて、嵌合具１０と同じ部分については同じ符号を付して説明を省略する。嵌合具１０Ａは、嵌合具１０における第１の突条部１５と第２の突条部１６の代わりに、断面形状が異なる第１の突条部１５Ａと第２の突条部１６Ａが設けられている以外は、嵌合具１０と同じである。第１の突条部１５Ａの断面形状は、円形状で、かつ第１の基材１１の側端１１ｃ側に切り欠き部分１５ａが形成された形状である。同様に、第２の突条部１６Ａの断面形状は、円形状で、かつ第２の基材１２の側端１２ｃ側に切り欠き部分１６ａが形成された形状である。
【００２０】
嵌合具１０Ａも嵌合具１０と同様に、第１の突条部１５Ａと第２の突条部１６Ａによって、第１の基材１１の側端１１ｂ側および第２の基材１２の側端１２ｂ側と共に袋体の開口側が押し広げられるので、嵌合具１０Ａによって開口を閉じている状態でも袋体の開口端を把持しやすい。また、第１の突条部１５Ａと第２の突条部１６Ａには切り欠き部分１５ａ、１６ａが形成されているので、第１の突条部１５Ａと第１の基材１１の隙間部分、および第２の突条部１６Ａと第２の基材１２の隙間部分に加えて、切り欠き部分１５ａ、１６ａにも指を引っ掛けられる。そのため、嵌合具１０における第１の突条部１５および第２の突条部１６に比べて、袋体の開口端と共に第１の基材１１の側端１１ｂ側と第２の基材１２の側端１２ｂ側をよりしっかりと把持しやすい。
【００２１】
また、図４に例示した嵌合具１０Ｂであってもよい。嵌合具１０Ｂにおいて、嵌合具１０と同じ部分については同じ符号を付して説明を省略する。嵌合具１０Ｂは、嵌合具１０における第１の突条部１５と第２の突条部１６の代わりに、断面形状が異なる第１の突条部１５Ｂと第２の突条部１６Ｂが設けられている以外は、嵌合具１０と同じである。第１の突条部１５Ｂの断面形状は、少なくとも雄側嵌合部１３側が傾斜するように、第１の基材１１の対向面１１ａと連結している側が窄んだ台形状である。同様に、第２の突条部１６Ｂの断面形状は、少なくとも雌側嵌合部１４側が傾斜するように、第２の基材１２の対向面１２ａと連結している側が窄んだ台形状である。
【００２２】
嵌合具１０Ｂも嵌合具１０と同様に、第１の突条部１５Ｂと第２の突条部１６Ｂによって、第１の基材１１の側端１１ｂ側および第２の基材１２の側端１２ｂ側と共に袋体の開口側が押し広げられるので、嵌合具１０Ｂによって開口を閉じている状態でも袋体の開口端を把持しやすい。また、嵌合具１０Ｂは、第１の突条部１５Ｂと第１の基材１１の隙間部分、および第２の突条部１６と第２の基材１２の隙間部分に指が引っ掛かりやすい。
【００２３】
本発明の嵌合具における突条部の断面形状としては、開口側から指を差し入れやすい点から、嵌合具１０Ｂのような台形状よりも嵌合具１０Ａのような円形状の方が好ましい。
また、本発明の嵌合具における突条部の断面形状は、突条部における嵌合部の反対側が傾斜するように窄む形状には限定されない。例えば、突条部の断面形状は、該突条部における嵌合部側と反対側の面が基材に対して垂直に立ち上がっており、かつ該突条部の嵌合部側の面が傾斜するように、基材と連結している側が窄んだ形状であってもよい。本発明の嵌合具における突条部の断面形状としては、嵌合具１０、１０Ａ、１０Ｂのように、突条部における嵌合部側とその反対側の両方が傾斜するように窄む形状が好ましい。このように突条部の両側が傾斜するように窄んでいることで、突条部と基材の連結部分がより小さくなるので、柔軟性が向上して袋体の開口側がより開き易くなり、開口端をより把持しやすくなる。
【００２４】
また、嵌合具１０は、第１の基材１１と第２の基材１２にそれぞれ１つずつ、一対の第１の突条部１５と第２の突条部１６が設けられていたが、第１の基材と第２の基材に設けられる突条部は１つには限定されない。例えば、第１の基材と第２の基材のそれぞれに、２対以上の突条部が設けられていてもよい。
【００２５】
また、本発明の嵌合具は、前記第１の突条部１５と第２の突条部１６のような、雄側嵌合部と雌側嵌合部を嵌合した際に接触して互いの基材を押し広げる突条部に加えて、雄側嵌合部と雌側嵌合部を嵌合した状態でも接触しない他の突条部を有していてもよい。
具体的には、例えば、図５に例示した嵌合具１０Ｃであってもよい。嵌合具１０Ｃにおいて、嵌合具１０と同じ部分については同じ符号を付して説明を省略する。嵌合具１０Ｃは、第１の基材１１における側端１１ｂと雄側嵌合部１３の間の対向面１１ａに、第１の突条部１５に加えて他の突条部１７、１７が設けられ、第２の基材１２における側端１２ｂと雌側嵌合部１４の間の対向面１２ａに、第２の突条部１６に加えて他の突条部１８、１８が設けられている以外は、嵌合具１０と同じである。第１の基材１１に設けられた他の突条部１７と第２の基材１２に設けられた他の突条部１８は、雄側嵌合部１３と雌側嵌合部１４を嵌合した状態でも互いに接触しない。これら他の突条部１７、１８は、袋体の開口端と共に第１の基材１１の側端１１ｂ側と第２の基材１２の側端１２ｂを把持する際に、指をより滑り難くする役割を果たす。
このような他の突条部を設ける場合、それぞれの基材に設ける他の突条部の数は一致していなくてもよい。また、それぞれの基材に設けられた他の突条部同士の幅方向の位置がずれていてもよい。
【００２６】
また、本発明の嵌合具における嵌合部は、前述のような雄側嵌合部と雌側嵌合部の組み合わせには限定されない。例えば、それぞれの基材に複数の雄側嵌合部が設けられ、それらを互いに嵌め込むことで、袋体の開口を開閉するものであってもよい。また、それぞれの基材に雌側嵌合部が設けられ、それら雌側嵌合部同士を互いに嵌め込むことで、袋体の開口を開閉するものであってもよい。
【００２７】
［嵌合具付き袋体］
以下、本発明の嵌合具付き袋体の一例として、前記嵌合具１０が取り付けられた嵌合具付き袋体１（以下、「袋体１」という。）について説明する。
本実施形態の袋体１は、図６および図７に示すように、内容物を収容する密封された状態の袋本体２０と、袋本体２０内の上部の内面に横方向に沿って取り付けられた嵌合具１０とを有している。
袋本体２０は、第１のフィルム材２１と第２のフィルム材２２が重ね合わされ、それらの周縁部２３が全てヒートシールされることで形成されており、密封された状態になっている。また、袋本体２０における嵌合具１０よりも上部側には、横方向に沿って切断補助線２４が設けられており、その端部にノッチ２５が形成されている。つまり、袋体１は、ノッチ２５から、切断補助線２４に沿って袋本体２０の第１のフィルム材２１および第２のフィルム材２２を切断して、上部を開封できるようになっている。開封後の袋体１は、嵌合具１０の雄側嵌合部１３と雌側嵌合部１４を着脱することで、形成した開口を自在に開閉できる。
【００２８】
袋本体２０の形状は、本実施形態では矩形である。ただし、袋本体２０の形状は矩形には限定されない。また、袋本体２０の大きさも特に限定されず、袋本体２０に収容する内容物によって適宜選定すればよい。
【００２９】
袋本体２０を形成する第１のフィルム材２１と第２のフィルム材２２は、ヒートシールにより嵌合具１０を溶着できるものであればよく、内面側からシーラント層と基材層を少なくとも有する積層フィルムが好ましい。
基材層としては、二軸延伸ナイロン、二軸延伸ポリプロピレンなどが挙げられる。
シーラント層としては、直鎖状低密度ポリエチレン、無延伸ポリプロピレン、エチレン−酢酸ビニル共重合体、アイオノマーなどが挙げられる。
また、前記積層フィルムには、バリア層などの機能層を設けてもよい。
また、第１のフィルム材２１と第２のフィルム材２２は、シーラント層のみからなる単層フィルムであってもよい。
【００３０】
嵌合具１０は、第１の基材１１の側端１１ｂ側および第２の基材１２の側端１２ｂ側を袋体１の上部側に向くようにし、第１の基材１１の側端１１ｃ側および第２の基材１２の側端１２ｃ側が内容物側となるように袋本体２０の内面に取り付けられている。つまり、嵌合具１０は、第１の突条部１５と第２の突条部１６が設けられた側が袋体１の開口側となるように取り付けられている。また、嵌合具１０は、図７に示すように、嵌合具１０の第１の基材１１が袋本体２０の第１のフィルム材２１に溶着され、嵌合具１０の第２の基材１２が袋本体２０の第２のフィルム材２２に溶着されている。
【００３１】
切断補助線２４は、袋本体２０を切断して開封するのを補助する線である。切断補助線２４としては、例えば、袋本体２０の第１のフィルム材２１および第２のフィルム材２２における切断補助線２４の部分をそれ以外の部分に比べて薄肉化した弱化線、ミシン目からなる弱化線、列状に形成された細孔からなる弱化線が挙げられる。また、切断補助線２４は、前記弱化線には限定されず、ハサミやカッター等で切断する位置を示す、印刷等で形成した線であってもよい。
切断補助線２４は、本実施形態では袋本体２０の幅方向に沿って形成されているが、この形態には限定されず、袋本体２０の幅方向に対して傾斜して設けられていてもよい。
【００３２】
ノッチ２５の形状は、この例では三角形状であるが、特に限定されず、半円形状、直線状などであってもよい。
【００３３】
袋体１は、ノッチ２５から切断補助線２４に沿って袋本体２０の上部を切断して除去することで、図８に示すように、上部に開口２６を形成して開封することができる。袋体１に形成した開口２６は、嵌合具１０の雄側嵌合部１３と雌側嵌合部１４を着脱することで繰り返し開閉できる。
袋体１においては、形成した開口２６を嵌合具１０によって閉じた際、嵌合具１０の第１の突条部１５と第２の突条部１６によって第１の基材１１の側端１１ｂ側と第２の基材１２の側端１２ｂ側が押し広げられると共に、袋本体２０の第１の開口端２７と第２の開口端２８も押し広げられる。そのため、嵌合具１０によって開口２６を閉じている状態においても、第１の開口端２７と第２の開口端２８を容易に把持できる。また、第１の突条部１５と第２の突条部１６の断面形状は、第１の基材１１の対向面１１ａおよび第２の基材１２の対向面１２ａと連結している側が窄んだ形状であるので、指がしっかりと引っ掛かる。そのため、嵌合具１０により閉じた開口２６を簡便に開くことができる。
袋体１は、嵌合具１０を用いる以外は公知の製造方法で製造できる。
【００３４】
以上説明したように、本発明の嵌合具付き袋体は、開口を嵌合具により閉じた状態でも袋本体の開口端を容易にしっかりと把持でき、簡便に開封できる。
【００３５】
なお、本発明の嵌合具付き袋体は、本発明の嵌合具を取り付けたものであればよく、前記袋体１には限定されない。例えば、嵌合具１０Ａ、１０Ｂ、１０Ｃのいずれかを取り付けた嵌合具付き袋体であってもよい。
また、嵌合具付き袋体の袋本体も特に限定されず、嵌合具付き袋体の袋本体として知られる様々な形態の袋本体を採用できる。例えば、袋体１は切断補助線２４を利用して開封するまでは密封状態の袋体であったが、予め開口が形成された袋本体を有する嵌合具付き袋体であってもよい。
【符号の説明】
【００３６】
１  嵌合具付き袋体
１０、１０Ａ〜１０Ｃ  嵌合具
１１  第１の基材
１１ａ  対向面
１１ｂ  一方の側端
１１ｃ  他方の側端
１２  第２の基材
１２ａ  対向面
１２ｂ  一方の側端
１２ｃ  他方の側端
１３  雄側嵌合部
１４  雌側嵌合部
１５、１５Ａ、１５Ｂ  第１の突条部
１６、１６Ａ、１６Ｂ  第２の突条部
２０  袋本体
【図１】
0005723656.tif 000002
【図２】
0005723656.tif 000003
【図３】
0005723656.tif 000004
【図４】
0005723656.tif 000005
【図５】
0005723656.tif 000006
【図６】
0005723656.tif 000007
【図７】
0005723656.tif 000008
【図８】
0005723656.tif 000009